(57)【特許請求の範囲】
【請求項１】
α−セルロースを主成分とする有機質物と抄紙バインダーを水に分散させ、分散液を抄紙したシートに熱硬化性樹脂溶液を含浸して半硬化、積層、熱圧成形した後、８００〜２５００℃の温度にて焼成炭化した気孔率２０〜９０％の多孔質炭素材の貫通気孔内に含酸素官能基が０．１〜２０μｍｏｌ／ｍ２、含酸素官能基中のキノン基の割合が３０％以上にオゾン酸化処理されたことを特徴とする親水性多孔質炭素材料。
【請求項２】
α−セルロースを主成分とする有機質物と抄紙バインダーを水に分散させ、分散液を抄紙してシート化し、シートを乾燥した後、熱硬化性樹脂溶液を含浸して半硬化、積層、熱圧成形した後、非酸化性雰囲気中で８００〜２５００℃の温度で焼成炭化して、気孔率が２０〜９０％の多孔質炭素材を作製し、次いで多孔質炭素材の貫通気孔内に含酸素官能基が０．１〜２０μｍｏｌ／ｍ２、含酸素官能基中のキノン基の割合が３０％以上にオゾン酸化により親水化処理することを特徴とする請求項１記載の親水性多孔質炭素材料の製造方法。
【発明の詳細な説明】
【技術分野】
【０００１】
本発明は親水性に優れた多孔質炭素材料、例えば燃料電池の触媒担持体やガス拡散層として好適な親水性多孔質炭素材料及びその製造方法に関する。
【背景技術】
【０００２】
炭素材料は、非酸化性雰囲気において優れた耐熱性や高温強度を有し、導電性および化学的安定性も高く、各種工業材料として使用されている。また、炭素材料を多孔質化した炭素材は軽量であり、フィルター、断熱材あるいは電気化学的工業用部材などとして有用されている。
【０００３】
多孔質炭素材の製造技術としては、炭素繊維をパルプとともに抄紙して得たシートに熱硬化性樹脂溶液を含浸して積層成形し、焼成炭化する方法（例えば、特許文献１など）が知られている。しかし、この方法は高価な炭素繊維を使用するので製造コストが増大し、また気孔性状の制御が難しいという欠点がある。
【０００４】
そこで、α−セルロースを主成分とする有機物質の抄紙シートに熱硬化性樹脂溶液を含浸し、樹脂含浸シートを積層して熱圧成形する方法が開発されている。例えば、特許文献２にはα−セルロースを主成分とする熱揮散性物質を抄紙してシート化する工程と、シートに熱硬化性樹脂溶液を含浸する工程と、含浸シートを加熱して半硬化する工程と、半硬化シートを積層し加熱しながら圧縮する工程と、焼成炭化する工程とからなるポーラスカーボン材の製造方法が開示されている。
【０００５】
また、近年、燃料電池の開発研究が盛んに行われており、燃料電池は燃料が有する化学エネルギーを直接電気エネルギーに変換するもので電気エネルギーへの変換効率が高く、特に固体高分子型燃料電池は他の燃料電池に比較して低温で高出力の発電が可能であるため、自動車の電源や小型の移動型および定置型電源として期待されている。
【０００６】
この燃料電池は、例えば固体高分子型燃料電池はスルホン酸基を有するフッ素樹脂系イオン交換膜のような高分子イオン交換膜からなる電解質膜と、その両面に白金などの触媒を担持させた触媒電極と、それぞれの電極に水素などの燃料ガスあるいは酸素や空気などの酸化剤ガスを供給する反応ガス供給用の凹凸溝部を設けたセパレータなどからなる単セルを数十から数百層に積層したスタック、及びその外側に設けた２つの集電体などから構成されている。
【０００７】
そして、アノードは触媒を担持したアノード側触媒電極とアノード側ガス拡散層、カソードは触媒を担持したカソード側触媒電極とカソード側ガス拡散層とから形成され、それぞれに供給した燃料ガスおよび酸化剤ガスが拡散して、触媒電極において電気化学的に反応して生じる電子（ｅ- ）の流れを電気エネルギーとして外部に取り出すものである。
【０００８】
この触媒電極およびガス拡散層には導電性や耐久性の面から炭素系の材料が使用されており、燃料ガスおよび酸化剤ガスが円滑に流通するように炭素短繊維やカーボンブラックを樹脂で結着した炭素多孔質体が用いられている。例えば、特許文献３に開示されているように、カーボンブラック、黒鉛化カーボンブラック、グラファイト、活性炭などの炭素粉末と白金、ルテニウムなどの触媒粉末とをペースト状にしてシートに塗布する方法などで行われている。
【特許文献１】特開昭６１−２３６６６４号公報
【特許文献２】特開平０３−１８３６７２号公報
【特許文献３】特開平１１−２５０９１８号公報
【発明の開示】
【発明が解決しようとする課題】
【０００９】
燃料電池において、電池反応を円滑に効率よく進めるためには適度な湿潤状態に保持することが必要であり、触媒電極およびガス拡散層には親水性が要求される。しかし、炭素材は疎水性で水に対する濡れ性が低いという問題がある。また、炭素繊維などは高価であるという難点もある。
【００１０】
そこで、本発明者は安価で親水性に優れ、燃料電池の触媒電極やガス拡散層として好適な多孔質炭素材料の開発を目的として鋭意研究を行い、抄紙シートを焼成炭化した多孔質炭素材を酸化して、多孔質炭素材の貫通気孔内に親水性の官能基を生成させる方法により解決できることを確認した。
【００１１】
すなわち、本発明は、燃料電池の触媒担持体やガス拡散層などとして好適な親水性多孔質炭素材料及びその製造方法を提供することを目的とする。
【課題を解決するための手段】
【００１２】
上記目的を達成するための本発明に係る親水性多孔質炭素材料は、α−セルロースを主成分とする有機質物と抄紙バインダーを水に分散させ、分散液を抄紙したシートに熱硬化性樹脂溶液を含浸して半硬化、積層、熱圧成形した後、８００〜２５００℃の温度にて焼成炭化した気孔率２０〜９０％の多孔質炭素材の貫通気孔内に含酸素官能基が０．１〜２０μｍｏｌ／ｍ２、含酸素官能基中のキノン基の割合が３０％以上にオゾン酸化処理されたことを構成上の特徴とする。
【００１３】
また、上記の親水性多孔質炭素材料の製造方法は、α−セルロースを主成分とする有機質物と抄紙バインダーを水に分散させ、分散液を抄紙してシート化し、シートを乾燥した後、熱硬化性樹脂溶液を含浸して半硬化、積層、熱圧成形した後、非酸化性雰囲気中で８００〜２５００℃の温度で焼成炭化して気孔率が２０〜９０％の多孔質炭素材を作製し、次いで多孔質炭素材の貫通気孔内に含酸素官能基が０．１〜２０μｍｏｌ／ｍ２、含酸素官能基中のキノン基の割合が３０％以上にオゾン酸化により親水化処理することを構成上の特徴とする。
【発明の効果】
【００１４】
本発明によれば、優れた親水性を備え、かつ湿潤時、乾燥時を問わず長期に亘って安定した親水性が保持され、しかも安価で、燃料電池の触媒担持体やガス拡散層などとして好適な親水性多孔質炭素材料及びその製造方法を提供することができる。
【発明を実施するための最良の形態】
【００１５】
本発明の親水性多孔質炭素材料を構成する基材となる多孔質炭素材は、公知の方法であるα−セルロースを主成分とする有機質物と抄紙バインダーを水に分散した分散液を抄紙したシートに熱硬化性樹脂溶液を含浸して半硬化、積層、熱圧成形した後、焼成炭化する方法により作製される。
【００１６】
本発明の親水性多孔質炭素材料は、この多孔質炭素材をオゾン酸化処理により、多孔質炭素材の開気孔である貫通気孔内に親水性の官能基である含酸素官能基を生成させたものである。貫通気孔内に親水性の官能基である含酸素官能基を均一に、効率よく生成させるためには気相酸化処理が好適であり、オゾンによる酸化処理が適用される。
【００１７】
このオゾン酸化処理により生成させる含酸素官能基量は０．１〜２０μｍｏｌ／ｍ２の範囲となるように調整する。含酸素官能基量が０．１μｍｏｌ／ｍ２より少ないと十分な親水性が付与されず、また２０μｍｏｌ／ｍ２を越えると酸化が進み過ぎて多孔質炭素材の一部が酸化によりＣＯ、ＣＯ２として消耗するため強度低下を招くことになる。
【００１８】
酸化処理により多孔質炭素材にはカルボキシル基（−ＣＯＯＨ）、ヒドロキシル基（−ＯＨ）、キノン基（＝Ｏ）などの含酸素官能基が生成するが、本発明はこれらの各種含酸素官能基のうち、キノン基の割合が３０％以上であることが必要である。カルボキシル基やヒドロキシル基は親水性という観点からはキノン基よりも優れているが、乾燥状態における安定性が低いという欠点がある。これに対し、キノン基は酸化処理後に長期間乾燥状態下に置いても安定であり、親水性が低下することが少ない。そのため、キノン基の割合を３０％以上に設定する。
【００１９】
なお、本発明において含酸素官能基とはカルボキシル基、ヒドロキシル基、キノン基を指し、下記の方法により測定される。
（１）カルボキシル基；
０．９７６ｍｏｌ／ｄｍ３の炭酸水素ナトリウム０．５ｄｍ３の中に、親水化処理した多孔質炭素材料１〜５ｇを添加して６時間振盪した後、多孔質炭素材料を濾別し、濾液に０．０５ｍｏｌ／ｄｍ３塩酸水溶液を加えた後、ｐＨが７．０になるまで０．０５ｍｏｌ／ｄｍ３水酸化ナトリウム水溶液にて中和滴定試験を行ってカルボキシル基を定量する。定量されたカルボキシル基量を窒素吸着比表面積（ｍ２／ｇ）で除して（μｍｏｌ／ｍ２）を算出する。
【００２０】
（２）ヒドロキシル基；
２、２′−Ｄｉｐｈｅｎｙｌ−１−ｐｉｃｒｙｌｈｙｄｒａｚｙｌ（ＤＰＰＨ）を四塩化炭素中に溶解して濃度５×１０−４ｍｏｌ／ｄｍ３の溶液を作製し、該溶液に親水化処理した多孔質炭素材を０．０１〜１．０ｇ添加し、６０℃の恒温槽中で６時間撹拌する。その後、反応液から多孔質炭素材料を濾別し、濾液を紫外線吸光光度計によりヒドロキシル基量を定量する。定量されたヒドロキシル基量を窒素吸着比表面積（ｍ２／ｇ）で除して（μｍｏｌ／ｍ２）を算出する。
【００２１】
（３）キノン基；
水素化ホウ素ナトリウムを水酸化ナトリウム水溶液中に溶解して濃度５×１０−４ｍｏｌ／ｄｍ３の溶液を作製し、該溶液に親水化処理した多孔質炭素材を０．５〜２．０ｇ添加して２時間振盪した後、多孔質炭素材料を反応液から濾別し、濾液に１２ｍｏｌ／ｄｍ３硫酸溶液を滴下して、滴下した硫酸溶液量と発生ガス量からキノン基量を定量する。定量されたキノン基量を窒素吸着比表面積（ｍ２／ｇ）で除して（μｍｏｌ／ｍ２）を算出する。
【００２２】
なお、酸化剤水溶液による酸化処理、例えば過硫酸塩や硫酸などの強酸化剤の水溶液による液相酸化処理では酸化の度合いが高くなり、カルボキシル基およびヒドロキシル基の生成割合が増大するので、キノン基の割合を３０％以上にすることが難しくなる。更に、過硫酸塩や硫酸などの酸化剤を使用するので、酸化剤のイオンが多孔質炭素材に残留し易く、その除去が必要となる欠点がある。これらの点からも本発明においてはオゾン酸化処理が適用される。
【００２３】
本発明の親水性多孔質炭素材料は、多孔質炭素材の貫通気孔内に生成させた含酸素官能基の量を特定範囲に設定するとともに、含酸素官能基中のキノン基の割合を特定した点に特徴がある。その結果、十分な親水性が付与され、例えば燃料電池の触媒電極の触媒担持体およびガス拡散層などとして長期間乾燥状態においても、また湿潤状態においても親水性の低下が少なく、湿潤時（電池作動時）においても経時的に溶出する成分もないので、耐久性に優れた燃料電池の触媒担持体やガス拡散層として好適に用いられる。
【００２４】
この親水性多孔質炭素材料を製造するための多孔質炭素材を作製する際に使用するα−セルロースを主成分とする有機質物としては、例えば木材パルプやレーヨンパルプなどのパルプ類が好適に用いられ、α−セルロースを９０％以上含むものが好ましい。また、この有機質物は抄紙成形性や抄紙シートの気孔性状を調整するために、太さ３〜１０デニール、長さ３〜１０ｍｍ程度のものを用いることが好ましい。また、抄紙バインダーは抄紙時に有機質物のつなぎ材として機能するもので、例えばアカマツ、エゾマツ、トドマツ、カラマツ、モミ、ツガなどの針葉樹系パルプ類が用いられる。
【００２５】
α−セルロースを主成分とする有機質物と抄紙バインダーは抄紙性や気孔性状などを考慮して適宜な量比に設定して水に分散させ、この分散液を長網式や丸網式などの抄紙機を用いてシート化する。形成したシートは十分に乾燥したのち熱硬化性樹脂溶液が含浸される。
【００２６】
含浸する熱硬化性樹脂は高残炭率、例えば残炭率が４０重量％以上のフェノール系、フラン系、ポリイミド系などの樹脂が単独または混合して用いられ、これらの熱硬化性樹脂はアセトン、エーテル、エタノールなどの低粘度で浸透性が高く、熱揮散性の有機溶媒に溶解して熱硬化性樹脂溶液を調製してシートに含浸する。シートへの含浸は浸漬法や塗布法など適宜な方法で行われ、熱硬化性樹脂溶液を含浸したシートは常温で乾燥する。乾燥したシートは所望枚数を積層し、成形型に入れて１５０〜２５０℃で熱圧成形する。なお、熱圧成形時の圧力を制御することにより、多孔質炭素材の気孔率を調整することもできる。また、成形し易くするために乾燥シートを５０〜１５０℃程度の温度に加熱して樹脂成分を半硬化してもよい。
【００２７】
次いで、成形体を非酸化性雰囲気中で８００〜２５００℃に加熱して焼成炭化し、多孔質炭素材を作製する。加熱温度を８００〜２５００℃の範囲とするのは、加熱温度が８００℃未満では炭化が不十分で有機物が残存し易く、一方加熱温度が２５００℃を越えると黒鉛化が進み表面の活性が低下して官能基の導入が難しくなるためである。
【００２８】
このようにして作製した多孔質炭素材の気孔率は２０〜９０％に調整するが、気孔率の調整はα−セルロースを主成分とする有機質物と抄紙バインダーの混合量比を制御することにより行うことができる。このように多孔質炭素材の気孔率は、熱圧成形時の加圧力や有機質物と抄紙バインダーの混合量比などを制御することにより調整される。なお、気孔率が２０％未満ではオゾンガスの通気性が悪化して、均一に酸化処理することが難しくなり、一方気孔率が９０％を越えると酸化による多孔質炭素材の酸化消耗による強度低下が著しくなるからである。
【００２９】
次に、このようにして作製した多孔質炭素材をオゾンガスの流通下に置いて、酸化処理を施す。オゾン酸化処理は、例えば容器内に適宜な目開きの金網を置き、金網上に多孔質炭素材を載置し、オゾン発生装置により発生させたオゾンを流通させることにより行うことができる。
【００３０】
酸化処理の程度はオゾン濃度、処理温度、処理時間などを制御して調節することができるが、この場合、オゾン濃度が濃すぎると酸化が過激に進行して多孔質炭素材の一部が酸化によりＣＯ、ＣＯ２として消耗していくため、強度が低下することになる。しかし、オゾン濃度が低いと酸化処理に長時間要すことになり、非能率、非効率となるのでオゾン濃度は５０００〜３５０００ｐｐｍに設定することが好ましい。
【００３１】
また、処理温度が高すぎると酸化の進行が激しくなって多孔質炭素材の一部が酸化消耗し、処理温度が低いと酸化処理の進行が遅くなり非能率、非効率となるので酸化処理温度は１０〜１００℃程度に設定すことが好ましい。同様に、処理時間を長くすれば酸化がより進行し、短くすれば酸化処理が十分に進行しないことになるので、酸化処理時間は適宜に設定する。
【００３２】
このように、オゾン濃度、処理温度、処理時間などを適宜に制御してオゾン酸化処理することにより、多孔質炭素材の貫通気孔内に生成する含酸素官能基を０．１〜２０μｍｏｌ／ｍ２、含酸素官能基中のキノン基の割合を３０％以上に親水化処理することができ、本発明の親水性多孔質炭素材料を製造することが可能となる。
【実施例】
【００３３】
以下、本発明の実施例を比較例と対比して具体的に説明するが、本発明はこの実施例に何ら制約されるものではない。
【００３４】
実施例１〜７、比較例１〜５
太さ５デニール、長さ５ｍｍのレーヨンパルプと、晒し針葉樹パルプ（ＮＢＫＰ）の混合比率を変えて水に分散させた後、分散液を長網式抄紙機により抄紙して、縦横２５０ｍｍ、厚さ２５０μｍのシートを作成した。シートを乾燥したのち、フェノール樹脂をエタノールに溶解した樹脂濃度の異なる樹脂溶液を含浸し、常温で乾燥した後、１００℃の温度で半硬化した。この樹脂含浸シート２０枚を積層して成形型に入れ、１５０℃の温度で、厚さ４ｍｍに熱圧成形した。次に、成形体を焼成炉に入れて、窒素雰囲気中で温度を変えて焼成炭化した。
【００３５】
このようにして作製した気孔率の異なる多孔質炭素材を縦横１０ｍｍ、厚さ２ｍｍに切断し、メタノール溶液中で超音波洗浄したのち６０℃の温度で乾燥した。次いで、これらの多孔質炭素材を、密閉容器内に設置した目開き３２μｍの金網上に置き、オゾン発生装置により発生させたオゾンを密閉容器内に流通させ、常温にて、処理時間を変えて酸化処理を行った。
【００３６】
比較例６
実施例１と同じ多孔質炭素材について、オゾン酸化処理に代えて過硫酸ナトリウム水溶液（濃度２．０Ｎ）中に浸漬する酸化処理を施した。
【００３７】
これらの酸化処理を施した多孔質炭素材について含酸素官能基としてカルボキシル基、ヒドロキシル基、キノン基を測定し、またキノン基の割合を求めた。
【００３８】
このようにして製造した親水性多孔質炭素材料について、下記の方法で親水性の評価を行った。
親水性評価；
試料上に蒸留水を滴下して、蒸留水の浸透する状況を観察して次の基準で評価した。
◎…蒸留水が滴下と同時に浸透し、吸収された場合
○…蒸留水の滴下後、吸収される迄に２〜３秒要した場合
×…蒸留水が吸収されず、液滴としてそのまま残った場合
【００３９】
これらの結果について、その製造条件を表１に、得られた親水性多孔質炭素材の性状および親水性を表２に示した。
【００４０】
【表１】
0004844942.tif 000002
【００４１】
【表２】
0004844942.tif 000003
【００４２】
表２より本発明による実施例１〜７は、燃料電池の触媒担持体やガス拡散層用の多孔質炭素材料として親水性が付与され、また材料強度が保持されたものとなる。